(57)【要約】      （修正有）【課題】通常のテレビに簡単な回路を付設するのみで受信中の任意の時点の画面を一時静止画で記録して表示可能にしてその内容を確認可能にしたテレビを提供する。【解決手段】地上デジタルアンテナ及びＢＳ／１１０度ＣＲデジタルアンテナとデジタルボードと液晶ディスプレイとスピーカーと無線リモートコントロール器とからなり、デジタルボードは、映像／音声を分離するＤＥＭＵＸ回路とＭＰＥＧ−２デコードとメガピクセルグラフィックエンジンとデジタルフォーマットコンバータとを順次連結し、デジタルフォーマットコンバータからは液晶ディスプレイに映像信号を出力しスピーカーに音声信号を出力するテレビにおいて、無線リモートコントロール器に画像一時停止及び再生ボタンを設け、デジタルフォーマットコンバータに画像一時停止信号を入力するとその時点の停止画像のみを記録し、停止画像再生信号を入力すると停止画像を液晶ディスプレイに表示する停止画像記録／再生回路を付設した。【選択図】図１
0003230460.tif 000002
【実用新案登録請求の範囲】
【請求項１】
地上デジタルアンテナ及びＢＳ／１１０度ＣＲデジタルアンテナとデジタルボードと液晶ディスプレイとスピーカーと無線リモートコントロール器とからなり、前記デジタルボードは、映像／音声を分離するＤＥＭＵＸ回路とＭＰＥＧ−２デコードとメガピクセルグラフィックエンジンとデジタルフォーマットコンバータとを順次連結し、前記デジタルフォーマットコンバータからは液晶ディスプレイに映像信号を出力しスピーカーに音声信号を出力するテレビにおいて、
前記無線リモートコントロール器に画像一時停止及び再生ボタンを設け、前記デジタルフォーマットコンバータに無線リモートコントロール器からの画像一時停止信号を入力するとその時点の停止画像のみを記録し、無線リモートコントロール器の画像一時停止及び再生ボタンからの停止画像再生信号を入力すると前記停止画像を液晶ディスプレイに出力して表示する停止画像記録／再生回路を付設したことを特徴とするテレビ。
【考案の詳細な説明】
【技術分野】
【０００１】  本考案は、テレビジョン（以下単にテレビと称する）の受信中の任意の時点の画面を一時静止画で記録し表示可能にしてその内容を確認可能にしたテレビに関するものである。
【背景技術】
【０００２】  テレビは、通常次記の回路構成であり機能として、受信中の任意の時点の画面を一時静止画で記録して表示可能にする機能は無い。【０００３】  一般のテレビの回路構成は概略、地上デジタルアンテナ及びＢＳ／１１０度ＣＲデジタルアンテナとデジタルボードと液晶ディスプレイとスピーカーからなる。
デジタルボードは、地上デジタルアンテナ及びＢＳ／１１０度ＣＲデジタルアンテナからの信号を入力するフロントエンド回路と、フロントエンド回路からの信号を受けて映像／音声を分離して液晶ディスプレイに映像表示しスピーカーに音声を出すデジタルＴＶ用システムＬＳＩからなる。
該フロントエンド回路は、地上デジタルチューナＷＤＴ（Ｗｉｄｅ  Ｄｙｎａｍｉｃ  Ｒａｎｇｅ  Ｄｉｇｉｔａｌ  Ｔｕｎｅｒ）とその復調回路ＤＯＤＯＦＤＭ（Ｄｙｎａｍｉｃ  ａｄａｐｔｉｖｅ  ｗｉｎｄｏｗ  ＯＦＤＭ  Ｄｅｍｏｄｕｌａｔｏｒ）及びＢＳ／１１０度ＣＲデジタルチューナとその復調回路ＱＰＳＫ（Ｄｙｎａｍｉｃ  ａｄａｐｔｉｖｅ  ｗｉｎｄｏｗ  ＯＦＤＭ  Ｄｅｍｏｄｕｌａｔｏｒ）と  からなる。
該デジタルＴＶ用システムＬＳＩは、前記各復調回路からの信号を入力して映像／音声を分離するＤＥＭＵＸ（ＤＥｍｏｄｕｌａｔｅ  ａｎｄ  ＭＵｌｔｉｐｌｅＸ）回路とＭＰＥＧ−２デコードとメガピクセルグラフィックエンジンとデジタルフォーマットコンバータとを順次連結したものでありデジタルフォーマットコンバータからは液晶ディスプレイに映像信号を出力しスピーカーに音声信号を出力する。【０００４】  そこで前記例のテレビの回路では、例えばテレビのある番組を受信中にＣＭが入りそのＣＭで注目する応募期間や住所或いはＨＰアドレス等の内容を記録するにも画面がすぐに変わり追いつかない不便さを強く感じることが多い。
これのみのために通常の市販のテープ／ＤＶＤ録画装置を併設したり、或いは高価な録画装置内蔵のテレビを購入するのも好ましくない。
【考案の概要】
【考案が解決しようとする課題】
【０００５】    本考案は、通常のテレビに簡単な回路を付設するのみで受信中の任意の時点の画面を  一時静止画で記録して表示可能にしてその内容を確認可能にしたテレビを提供する。
【課題を解決するための手段】
【０００６】  上記課題を満足させる本考案のテレビにおける主な技術構成は、次の（１）の通りである。
（１）、地上デジタルアンテナ及びＢＳ／１１０度ＣＲデジタルアンテナとデジタルボードと液晶ディスプレイとスピーカーと無線リモートコントロール器とからなり、前記デジタルボードは、映像／音声を分離するＤＥＭＵＸ回路とＭＰＥＧ−２デコードとメガピクセルグラフィックエンジンとデジタルフォーマットコンバータとを順次連結し、前記デジタルフォーマットコンバータからは液晶ディスプレイに映像信号を出力しスピーカーに音声信号を出力するテレビにおいて、
前記無線リモートコントロール器に画像一時停止及び再生ボタンを設け、前記デジタルフォーマットコンバータに無線リモートコントロール器の画像一時停止及び再生ボタンからの画像一時停止信号を入力するとその時点の停止画像のみを記録し、無線リモートコントロール器からの停止画像再生信号を入力すると前記停止画像を液晶ディスプレイに出力して表示する停止画像記録／再生回路を付設したことを特徴とするテレビ。
【考案の効果】
【０００７】  本考案のテレビは通常の市販のテープ／ＤＶＤ録画装置を併設したり、或いは高価な録画装置内蔵のテレビを購入することなく前記停止画像記録／再生回路を付設したことにより、受信中の任意の時点の画面を一時静止画で記録して表示可能にしてその内容を確認可能にしたため、例えばテレビのある番組を受信中にＣＭが入りそのＣＭで注目する応募期間や住所或いはＨＰアドレス等の内容をリアルタイムで停止画面にして確認できる等の優れた作用効果を呈するものである。
【図面の簡単な説明】
【０００８】
【図１】本考案のテレビの実施例を示すブロック線図である。
【考案を実施するための形態】
【０００９】  考案を実施するための形態を図１に示す実施例により詳細に説明する。
【実施例】
【００１０】  図１において、本例の基本回路は、地上デジタルアンテナ１０１及びＢＳ／１１０度ＣＲデジタルアンテナ１０２とデジタルボード２００と液晶ディスプレイ３００とスピーカー４００とリモートコントロール５００とからなる。
デジタルボード２００は、地上デジタルアンテナ１０１及びＢＳ／１１０度ＣＲデジタルアンテナ１０２からの信号を入力するフロントエンド回路２１０と、フロントエンド回路２１１からの信号を受けて映像／音声を分離して液晶ディスプレイ３００に映像表示しスピーカー４００に音声を出すデジタルＴＶ用システムＬＳＩ２２０からなる。
フロントエンド回路２１０は、地上デジタルチューナＷＤＴ２１１とその復調回路ＤＯＤＯＦＤＭ２１２及びＢＳ／１１０度ＣＲデジタルチューナ２１３とその復調回路ＱＰＳＫ２１４とからなる。
デジタルＴＶ用システムＬＳＩ２２０は、前記各復調回路２１２、２１４からの信号を入力して映像／音声を分離するＤＥＭＵＸ回路２２１とＭＰＥＧ−２デコード２２２とメガピクセルグラフィックエンジン２２３とデジタルフォーマットコンバータ２２４とを順次連結したものでありデジタルフォーマットコンバータ２２４からは液晶ディスプレイ３００に映像信号を出力しスピーカー４００に音声信号を出力する。【００１１】  前記無線リモートコントロール器５００には、画像一時停止及び再生ボタン５０１を設け、例えば前記デジタルフォーマットコンバータ２２４に停止画像記録／再生回路２３０を付設する。
停止画像記録／再生回路２３０は、無線リモートコントロール器５００の画像一時停止及び再生ボタン５０１からの画像一時停止信号を前記デジタルフォーマットコンバータ２２４に入力するとその時点の停止画像のみを記録し、無線リモートコントロール器５００の画像一時停止及び再生ボタン５０１からの停止画像再生信号を入力すると前記停止画像を液晶ディスプレイに出力して表示する。
停止画の表示の解除は無線リモートコントロール器５００の戻るキーを押すと元の受信チャンネルの画面に戻る。
これで画像を受信中いつでも確認したい画面があればリアルタイムでその画面を停止記録させ表示することが可能となり極めて利便性のあるテレビに豹変するのである。
【産業上の利用可能性】
【００１２】  本考案は、前述の効果及び実施例に記載の通り優れた作用効果を呈して一般家庭におけるテレビの活用は勿論、テレビ業界及びＣＭ業界への寄与と発展に貢献すること多大なものがある。
【符号の説明】
【００１３】１０１：地上デジタルアンテナ
１０２：ＢＳ／１１０度ＣＲデジタルアンテナ
２００：デジタルボード
２１０：フロントエンド回路
２１１：地上デジタルチューナＷＤＴ
２１２：復調回路ＤＯＤＯＦＤＭ
２１３：ＢＳ／１１０度ＣＲデジタルチューナ
２１４：復調回路ＱＰＳＫ
２２０：デジタルＴＶ用システムＬＳＩ
２２１：ＤＥＭＵＸ回路
２２２：ＭＰＥＧ−２デコード
２２３：メガピクセルグラフィックエンジン
２２４：デジタルフォーマットコンバータ
２３０：停止画像記録／再生回路
３００：液晶ディスプレイ
４００：スピーカー
５００：リモートコントロール
５０１：画像一時停止及び再生ボタン
【図１】
0003230460.tif 000003
【手続補正書】
【提出日】令和2年11月2日(2020.11.2)
【手続補正１】
【補正対象書類名】実用新案登録請求の範囲
【補正対象項目名】全文
【補正方法】変更
【補正の内容】
【実用新案登録請求の範囲】
【請求項１】
地上デジタルアンテナ及びＢＳ／１１０度ＣＲデジタルアンテナとデジタルボードと液晶ディスプレイとスピーカーからなり、前記デジタルボードは、地上デジタルアンテナ及びＢＳ／１１０度ＣＲデジタルアンテナからの信号を入力するフロントエンド回路と、フロントエンド回路からの信号を受けて映像／音声を分離して液晶ディスプレイに映像表示しスピーカーに音声を出すデジタルＴＶ用システムＬＳＩと、無線リモートコントロール器とからなり、前記フロントエンド回路は、地上デジタルチューナＷＤＴとその復調回路ＤＯＤＯＦＤＭ及びＢＳ／１１０度ＣＲデジタルチューナとその復調回路ＱＰＳＫとからなり、前記デジタルＴＶ用システムＬＳＩは、前記各復調回路からの信号を入力して映像／音声を分離するＤＥＭＵＸ回路とＭＰＥＧ−２デコードとメガピクセルグラフィックエンジンとデジタルフォーマットコンバータとを順次連結したものでありデジタルフォーマットコンバータからは液晶ディスプレイに映像信号を出力しスピーカーに音声信号を出力するテレビにおいて、
前記無線リモートコントロール器に画像一時停止及び再生ボタンを設け、前記デジタルフォーマットコンバータに無線リモートコントロール器からの画像一時停止信号を入力するとその時点の停止画像のみを記録し、無線リモートコントロール器の画像一時停止及び再生ボタンからの停止画像再生信号を入力すると前記停止画像を液晶ディスプレイに出力して表示する停止画像記録／再生回路を付設したことを特徴とするテレビ。